【事件の表示】
　特許第３２３１６３４号「引き戸の下枠及び引き戸の下枠と縦枠との連結構造」の請求項１に係る特許に対する特許異議の申立てについて、次のとおり決定する。
【結　論】
　訂正を認める。
　特許第３２３１６３４号の請求項１に係る特許を維持する。
【理　由】
第１．手続きの経緯
　本件特許第３２３１６３４号発明は、平成８年１０月１５日に出願されたものであり、平成１３年９月１４日にその特許権の設定登録がなされ、その後三協アルミニウム工業株式会社及び立山アルミニウム工業株式会社より請求項１に係る特許について特許異議の申立てがなされ、取消理由通知がなされ、意見書及び訂正請求書が提出された後、再度取消理由通知がなされ、訂正請求取下書、意見書及び新たな訂正請求書が提出されたものである。
　
第２．訂正の適否についての判断
Ｉ．訂正の内容
　特許権者が求める訂正の内容は、本件特許発明の明細書を平成１４年１２月１９日付け訂正請求書に添付した訂正明細書のとおりに、すなわち次のア〜セのとおりに訂正しようとするものである。
ア．明細書の「特許請求の範囲」の請求項１を下記のとおり訂正する。
「上面に見込み方向に並列する複数本の引き戸用のレールが形成された下枠本体の、最も室外寄りに位置するレールの室外側に、室内側から室外側へかけてレールの上端から室外の床面の高さまで下方へ傾斜する傾斜面を持つアタッチメントを一体的に設置してあり、前記アタッチメントの長さ方向の端部の一方には、その端面を塞ぎながら下枠本体の上面に連続する上面を持つ小口キャップが取り付けられており、該アタッチメントが下枠本体と共に、直接、または前記小口キャップを挟んで間接的に縦枠の見込み片に突き当たって連結される引き戸の下枠。」
イ．明細書の「特許請求の範囲」の請求項２を下記のとおり訂正する。
「上面に見込み方向に並列する複数本の引き戸用のレールが形成された下枠本体の、最も室外寄りに位置するレールの室外側に、室内側から室外側へかけてレールの上端から室外の床面の高さまで下方へ傾斜する傾斜面を特つアタッチメントを一体的に設置してあり、前記アタッチメントの長さ方向両端部には、その端面を塞ぎながら下枠本体の上面に連続する上面を持つ小口キャップが取り付けられており、下枠の端部は、下枠本体の端部と小口キャップが縦枠の見込み片に突き当たった状態で縦枠に連結されている引き戸の下枠と縦枠との連結構造。」
ウ．明細書の段落【０００５】の「室内」（特許公報２頁左欄１３行）を「室外」と訂正する。
エ．明細書の段落【０００６】の「請求項１では」（特許公報２頁左欄１９行）を「この発明では」と訂正する。
オ．明細書の段落【０００８】の「アタッチメントを含めた……上面を持つ。」（特許公報２頁左欄３１〜３８行）を「アタッチメントを含めた下枠は、請求項１に係る発明では一方の端部は下枠本体の端部とアタッチメントが縦枠の見込み片に突き当たった状態で縦枠に連結され、他方の端部はアタッチメントの長さ方向端部に取り付けられる小口キャップと下枠本体の端部が縦枠の見込み片に突き当たった状態で縦枠に連結される。請求項２に係る発明ではアタッチメントの長さ方向両端部に取り付けられる小口キャップと下枠本体の端部が縦枠の見込み片に突き当たった状態で縦枠に連結される。小口キャップはアタッチメントの長さ方向の端部の端面を塞ぎながら下枠本体の上面に連続する上面を持つ。」と訂正する。
カ．明細書の段落【００１１】の「請求項２の場合」（特許公報２頁左欄５０行）を「また」と訂正する。
キ．明細書の段落【００１３】の「両端」（特許公報２頁右欄８行）を「端部」と訂正する。
ク．明細書の段落【００１８】の「固定される。」（特許公報２頁右欄３７〜３８行）を「固定して一体的に設置してある。」と訂正する。
ケ．明細書の段落【００２２】の「アタッチメント４が下枠本体２と同一の長さを持つ場合には、」（特許公報３頁左欄４〜５行）を削除し、「左側に示すように」（特許公報３頁左欄５行）を「左側については、」と訂正する。
コ．明細書の段落【００２５】の「請求項２記載の発明は図２の右側，及び図４」（特許公報３頁左欄１８〜１９行）を「また、請求項１に係る発明である図２の右側、及び請求項２に係る発明である図４」と訂正し、「請求項１の」（特許公報３頁左欄１９行）を削除し、「突き当てることで下枠１を縦枠５を連結したものである。」（特許公報３頁左欄２２〜２３行）を「突き当てて、下枠１を縦枠５に連結している。」と訂正する。
サ．明細書の段落【００２８】の「この」（特許公報３頁左欄３５行）を「請求項２に係る」と訂正する。
シ．明細書の段落【００３０】の「請求項１」（特許公報３頁右欄５行）を「この発明」と訂正する。
ス．明細書の段落【００３１】の「請求項２では」（特許公報３頁右欄１１行）を「また」と訂正する。
セ．明細書の段落〔００３２〕の「また」（特許公報３頁右欄１７行）を「さらに、」と訂正する。
　
II．訂正の目的の適否、新規事項の有無及び拡張変更の存否
　これらの訂正事項について検討すると、
　訂正事項アは、引き戸の下枠を、「アタッチメントの長さ方向の端部の一方には、その端面を塞ぎながら下枠本体の上面に連続する上面を持つ小口キャップが取り付けられており、該アタッチメントが下枠本体と共に、直接、または前記小口キャップを挟んで間接的に縦枠の見込み片に突き当たって連結される」ものに限定するものであるから、特許請求の範囲の減縮を目的とするものに該当し、訂正事項イは請求項１を訂正したことに伴い、請求項１の従属項として記載されていたものを独立項として記載したものであって、明りょうでない記載の釈明を目的とするものである。
　訂正事項ウは誤記の訂正を目的とするものであり、訂正事項エないしキ、ケないしセは、特許請求の範囲を訂正したことに伴い、対応する発明の詳細な説明の記載の整合をはかるものであり、訂正事項クは「一体的に設置」の意味を明確にするものであって、明りょうでない記載の釈明を目的とするものである。
　そして、訂正事項アないしセは、いずれも願書に添付した明細書又は図面に記載した事項の範囲内においてなされたものであり、かつ実質的に特許請求の範囲を拡張又は変更するものではない。
　
III．訂正の適否についての結論
　以上のとおりであるから、上記訂正請求は、特許法第１２０条の４第２項に規定する訂正の目的を満たすものであり、かつ同条第３項において準用する第１２６条第２、３項の規定に適合する。
　よって、本件訂正請求のとおりの訂正を認める。
　
第３．特許異議申立についての判断
Ｉ．異議申立ての概要
　異議申立人は、証拠として甲第１号証ないし甲第８号証を提出し、以下の理由により訂正前の本件請求項１に係る特許は取り消されるべきものであると主張している。
（１）請求項１に係る発明は、本件出願前に出願され本件出願後に出願公開された甲第１号証に記載された発明と同一であり、かつ本件発明の出願人と甲第１号証に記載された発明の出願人とは同一ではなく、発明者も同一ではないから本件請求項１に係る発明は、特許法第２９条の２の規定により特許を受けることができないものである。
（２）請求項１に係る発明は、その出願前に出願され本件出願後に出願公開された甲第２号証に記載された発明と同一であり、かつ本件発明の出願人と甲第２号証に記載された発明の出願人とは同一ではなく、発明者も同一ではないから本件請求項１に係る発明は、特許法第２９条の２の規定により特許を受けることができないものである。
（３）請求項１に係る発明は、本件出願前に頒布された甲第３号証ないし甲第５号証に記載された発明及び甲第６号証ないし甲第８号証に記載された周知技術に基いて当業者が容易に発明をすることができたものであるから、特許法第２９条第２項の規定により特許を受けることができないものである。
　
II．本件請求項１に係る発明
　上記「第２．訂正の適否についての判断」に示したとおり、本件に係る訂正が認められるから、本件の請求項１に係る発明は、上記訂正請求書に添付した訂正明細書の特許請求の範囲の請求項１に記載された、上記第２．Ｉ．アに記載したとおりのものと認める。
　　
III．特許法第２９条の２についての判断
１．本件出願日前の出願であって、本件出願後に出願公開された特願平７−２４２１５０号（特開平９−８８４３６号公報、甲第１号証参照）の願書に最初に添付された明細書又は図面（以下「先願明細書１」という）には、その段落【０００４】及び【図７】の記載からみて、
「上面に見込み方向に１本の引き戸用のレールが形成された下枠の、レールの室外側に、室内側から室外側へかけてレールの上端から室外の床面の高さまで下方へ傾斜するカバーを一体的に設置した引き戸の下枠。」の発明が記載されていると認められ、先願明細書１記載の発明の「カバー」は請求項１に係る発明の「傾斜面を持つアタッチメント」に相当すると認められる。
　しかしながら、先願明細書１には、本件請求項１に係る発明を特定する事項である「アタッチメントの長さ方向両端部には、その端面を塞ぎながら下枠本体の上面に連続する上面を持つ小口キャップが取り付けられており、下枠の端部は、下枠本体の端部と小口キャップが縦枠の見込み片に突き当たった状態で縦枠に連結されている」点について記載も示唆もない。
　そして、本件請求項１に係る発明は上記特定事項により明細書記載の特有の作用効果を奏するものと認められる。
　したがって、本件請求項１に係る発明は、先願明細書１記載の発明と同一であるとすることはできない。
　
２．本件出願日前の出願であって、本件出願後に出願公開された特願平７−１２７８３４号（特開平８−３２６４２８号公報、甲第２号証参照）の願書に最初に添付された明細書又は図面（以下「先願明細書２」という）には、請求項１、段落【０００６】、【００１３】及び図面の記載からみて、
「上面に見込み方向に１本の引き戸用下枠材レール（２２）が形成されたサッシ下枠材（１２）の出入区間（Ｈ）に、下枠材レール（２２）より室外に向けて下降傾斜する踏板（６）を脱着可能に嵌挿した出入口用サッシ。」の発明が記載されていると認められ、先願明細書２の「傾斜する踏板（６）」は請求項１に係る発明の「傾斜面を持つアタッチメント」に相当すると認められるが、先願明細書２には、本件請求項１に係る発明を特定する事項である、「アタッチメントの長さ方向両端部には、その端面を塞ぎながら下枠本体の上面に連続する上面を持つ小口キャップが取り付けられており、下枠の端部は、下枠本体の端部と小口キャップが縦枠の見込み片に突き当たった状態で縦枠に連結されている」点について記載も示唆もない。
　そして、本件請求項１に係る発明は上記特定事項により明細書記載の特有の作用効果を奏するものと認められる。
　したがって、本件請求項１に係る発明は、先願明細書２記載の発明と同一であるとすることはできない。
　
IV．特許法第２９条第２項についての判断
１．異議申立人の提出した刊行物の記載事項
（１）甲第３号証（実願昭６３−１２８２４号（実開平１−１１８０７５号）のマイクロフイルム）には、明細書及び図面の記載からみて、「上面に見込み方向に並列する複数本の引き戸用のレールが形成された下枠の、レールの屋外側に、レールとほぼ同じ高さのシャッター受け部を設け、シャッター受け部の屋外側に、シャッター受け部上端から屋外側の床面の高さまで下方へ傾斜する傾斜面を持つ斜面部と台板部を連続した台板を一体的に設置してある引き戸の下枠。」の発明が記載されていると認められる。
（２）甲第４号証（実公平７−１６８７７号公報）には、「上面に見込み方向に並列する複数本の引き戸用のレールが形成された下枠」が記載されている。
（３）甲第５号証（特開平７−１１３３８１号公報）には、「固定枠部に一体に取り付けられた固定戸用下レールの両端が、開口部に設置される縦枠に突き当たった状態で連結されている」ことが記載されている。
（４）甲第６号証（実願昭５６−１１６９９４号（実開昭５８−２１６７２号）のマイクロフイルム）には、「玄関用網戸下枠の網戸走行用軌道壁よりも土間側の部分に軌道壁と略同じ高さまで延びる部分を設け、該部分の上線から土間の上面まで傾斜壁を延ばした網戸の下枠構造」が記載されている。
（５）甲第７号証（実開昭５６−３１１８２号公報）には、敷居の側部に断面略直角三角状をしたつまずき防止体を取着した敷居装置が記載されている。
（６）甲第８号証（実開昭５４−１４３０２９号公報）には、敷居の側部に設置される断面直角三角状をした事故防止材が記載されている。
　
２．対比、判断　
  本件請求項１に係る発明と上記甲第３号証ないし甲第８号証に記載された発明を対比すると、甲第３号証ないし甲第８号証に記載された発明には、本件請求項１に係る発明を特定する事項である「アタッチメントの長さ方向両端部には、その端面を塞ぎながら下枠本体の上面に連続する上面を持つ小口キャップが取り付けられており、下枠の端部は、下枠本体の端部と小口キャップが縦枠の見込み片に突き当たった状態で縦枠に連結されている」点について記載も示唆もない。
　そして、本件請求項１に係る発明は上記特定事項により明細書記載の特有の作用効果を奏するものと認められる。
　したがって、本件請求項１に係る発明は、甲第３号証ないし甲第８号証に記載された発明に基いて当業者が容易に発明をすることができたものであるとすることはできない。
　
第４．むすび
　以上のとおり、異議申立ての理由及び証拠方法によっては、本件請求項１に係る発明に係る特許を取り消すことはできない。
　また、他に本件請求項１に係る特許を取り消すべき理由を発見しない。
　よって、結論のとおり決定する。
【異議決定日】
平成１５年１月９日（２００３．１．９）
【訂正の要旨】
訂正事項
ａ．明細書の「特許請求の範囲」の欄を下記の通り訂正する。
「　【請求項１】　上面に見込み方向に並列する複数本の引き戸用のレールが形成された下枠本体の、最も室外寄りに位置するレールの室外側に、室内側から室外側へかけてレールの上端から室外の床面の高さまで下方へ傾斜する傾斜面を持つアタッチメントを一体的に設置してあり、前記アタッチメントの長さ方向の端部の一方には、その端面を塞ぎながら下枠本体の上面に連続する上面を持つ小口キャップが取り付けられており、該アタッチメントが下枠本体と共に、直接、または前記小口キャップを挟んで間接的に縦枠の見込み片に突き当たって連結される引き戸の下枠。
　【請求項２】　上面に見込み方向に並列する複数本の引き戸用のレールが形成された下枠本体の、最も室外寄りに位置するレールの室外側に、室内側から室外側へかけてレールの上端から室外の床面の高さまで下方へ傾斜する傾斜面を持つアタッチメントを一体的に設置してあり、前記アタッチメントの長さ方向両端部には、その端面を塞ぎながら下枠本体の上面に連続する上面を持つ小口キャップが取り付けられており、下枠の端部は、下枠本体の端部と小口キャップが縦枠の見込み片に突き当たった状態で縦枠に連結されている引き戸の下枠と縦枠との連結構造。」
ｂ．明細書の段落〔０００５〕の「室内」（特許公報２頁左欄１３行）を「室外」と訂正する。
ｃ．明細書の段落〔０００６〕の「請求項１では」（特許公報２頁左欄１９行）を「この発明では」と訂正する。
ｄ．明細書の段落〔０００８〕の「アタッチメントを含めた……上面を持つ。」（特許公報２頁左欄３１〜３８行）を「アタッチメントを含めた下枠は、請求項１に係る発明では一方の端部は下枠本体の端部とアタッチメントが縦枠の見込み片に突き当たった状態で縦枠に連結され、他方の端部はアタッチメントの長さ方向端部に取り付けられる小口キャップと下枠本体の端部が縦枠の見込み片に突き当たった状態で縦枠に連結される。請求項２に係る発明ではアタッチメントの長さ方向両端部に取り付けられる小口キャップと下枠本体の端部が縦枠の見込み片に突き当たった状態で縦枠に連結される。小口キャップはアタッチメントの長さ方向の端部の端面を塞ぎながら下枠本体の上面に連続する上面を持つ。」と訂正する。
ｅ．明細書の段落〔００１１〕の「請求項２の場合」（特許公報２頁左欄５０行）を「また」と訂正する。
ｆ．明細書の段落〔００１３〕の「両端」（特許公報２頁右欄８行）を「端部」と訂正する。
ｇ．明細書の段落〔００１８〕の「固定される。」（特許公報２頁右欄３７〜３８行）を「固定して一体的に設置してある。」と訂正する。
ｈ．明細書の段落〔００２２〕の「アタッチメント４が下枠本体２と同一の長さを持つ場合には、」（特許公報３頁左欄４〜５行）を削除し、「左側に示すように」（特許公報３頁左欄５行）を「左側については、」と訂正する。
ｉ．明細書の段落〔００２５〕の「請求項２記載の発明は図２の右側，及び図４」（特許公報３頁左欄１８〜１９行）を「また、請求項１に係る発明である図２の右側、及び請求項２に係る発明である図４」と訂正し、「請求項１の」（特許公報３頁左欄１９行）を削除し、「突き当てることで下枠１を縦枠５を連結したものである。」（特許公報３頁左欄２２〜２３行）を「突き当てて、下枠１を縦枠５に連結している。」と訂正する。
ｊ．明細書の段落〔００２８〕の「この」（特許公報３頁左欄３５行）を「請求項２に係る」と訂正する。
ｋ．明細書の段落〔００３０〕の「請求項１」（特許公報３頁右欄５行）を「この発明」と訂正する。
ｌ．明細書の段落〔００３１〕の「請求項２では」（特許公報３頁右欄１１行）を「また、」と訂正する。
ｍ．明細書の段落〔００３２〕の「また」（特許公報３頁右欄１７行）を「さらに、」と訂正する。
（５４）【発明の名称】
引き戸の下枠及び引き戸の下枠と縦枠との連結構造
（５７）【特許請求の範囲】
　【請求項１】　上面に見込み方向に並列する複数本の引き戸用のレールが形成された下枠本体の、最も室外寄りに位置するレールの室外側に、室内側から室外側へかけてレールの上端から室外の床面の高さまで下方へ傾斜する傾斜面を持つアタッチメントを一体的に設置してあ
り、前記アタッチメントの長さ方向の端部の一方には、その端面を塞ぎながら下枠本体の上面に連続する上面を持つ小口キャップが取り付けられており、該アタッチメントが下枠本体と共に、直接、または前記小口キャップを挟んで間接的に縦枠の見込み片に突き当たって連結される
　【請求項２】　
上面に見込み方向に並列する複数本の引き戸用のレールが形成された下枠本体の、最も室外寄りに位置するレールの室外側に、室内側から室外側へかけてレールの上端から室外の床面の高さまで下方へ傾斜する傾斜面を持つアタッチメントを一体的に設置してあり、前記
【発明の詳細な説明】
　【０００１】
　【発明の属する技術分野】
　この発明はバリアフリーに対応した引き戸の下枠、及び引き戸の下枠と縦枠との連結構造に関するものである。
　【０００２】
　【従来の技術及び発明が解決しようとする課題】
　車椅子使用者の玄関ドアからの出入りを考慮した場合、ドアを挟む室内と室外の床面間と共に、実公平１−７８１９号や実登３００２１０７号のように下枠の上面に段差を付けないことが課題になるが、引き戸の下枠には上方へ突出するレールが形成されるため、下枠自身を平坦にすることはできない。
　【０００３】
　特開平５−３３２０６８号では下枠のレールの上端を室内と室外の床面のレベルに合わせることでレールと床面間の段差をなくし、車椅子通行時の障害を解消しているが、下枠の上面を室外の床面より下方に位置させた場合には下枠上に溜まる水とゴミを下枠の外部へ排出できない不便が生じ、水は下枠の内部，あるいはその下で処理せざるを得ない。
　【０００４】
　実開平１−１１８０７５号では下枠のレールの上端を室内の床面のレベルに合わせる一方、室外の床面との間に段差を付け、下枠の室外側に連続して設置されたグレーチングと下枠のレール間にスロープを形成することで車椅子通行時の障害を緩和している。ここではスロープをグレーチングに形成しているが、このような形でスロープを下枠に形成した場合にはスロープが開口枠から単独で室外側へ張り出す形になり、スロープが縦枠に拘束されなくなるため、端部の支持方法が問題になる。
　【０００５】
　この発明はレールと
室外
　【０００６】
　【課題を解決するための手段】
　
この発明では
　【０００７】
　アタッチメントは傾斜面により車椅子の車輪を室外寄りのレール上から室外の床面へ、あるいはその逆へ緩やかに導き、レールと室外の床面間の段差に伴う車輪への衝撃を解消する。
　【０００８】
　アタッチメントを含めた下枠は、
請求項１に係る発明では一方の端部は
、他方の端部はア
向端
請求項２に係る発明ではアタッチメントの長さ方向両端部に取り付けられる小口キャップと下枠本体の端部が縦枠の見込み片に突き当たった状態で縦枠に連結される。
端部
　【０００９】
　下枠のレールと室外の床面間で車椅子の車輪を案内するアタッチメントが下枠本体と共に、直接，または小口キャップを挟んで間接的に縦枠の見込み片に突き当たって連結されることにより、アタッチメントは縦枠に拘束される形になるため、その端部の変形の問題は生じない。
　【００１０】
　下枠のレールの上端は室内の床面との間の段差をなくすために室内の床面のレベルに揃えられる。また下枠の上面に水を溜めないために、下枠の上面と室外の床面との間には段差が付き、下枠はその上面が室外の床面より下に位置しないように配置される。
　【００１１】
　
また、
　【００１２】
　小口キャップは上記の通り、上面が下枠本体の上面に連続することによりアタッチメントの傾斜面に拘わらず、下枠本体上の水やゴミを小口キャップの上面を通じて室外へ排出する。
　【００１３】
　下枠上に存在する水やゴミは下枠の上面を通じて長さ方向
端部
　【００１４】
　【発明の実施の形態】
　請求項１記載の発明は上面に見込み方向に並列する複数本の引き戸用のレール３が形成された下枠本体２の、最も室外寄りに位置するレール３の室外側にアタッチメント４を一体的に設置して構成される下枠１である。
　【００１５】
　下枠本体２は図１に示すようにレール３が室内の床面６と室外の床面７間に段差がある箇所に設置され、レール３の上端は室内の床面６と同一、あるいはほとんど同一のレベルに位置し、レール３を除いた下枠本体２の上面２１は室外の床面７と同一、あるいはそれより高いレベルに位置する。
　【００１６】
　アタッチメント４は室内側から室外側へかけてレール３の上端から室外の床面７の高さまで下方へ傾斜する傾斜面４２を一部に持つ形状をする。
　【００１７】
　図１に示すアタッチメント４は下枠本体２の上面２１に重なって固定される取付部４１の室外側から一旦立ち上がって下方へ傾斜する断面形状をし、車輪１０が接触する傾斜面４２は室内側から室外側へかけてレール３の上端から室外の床面７の高さまで下方へ傾斜する。車輪１０は車椅子の小径の車輪を指す。
　【００１８】
　図１は隣接するレール３，３間に、下枠１上を通過する車輪１０を支持し、車輪１０のレール３，３間への落ち込みを防止する落下止め１１を固定した場合を示すが、アタッチメント４はこの落下止め１１と共に下枠本体２の上面２１にスポット溶接により固定、あるいはねじやその他の手段で下枠本体２に対して着脱自在に
固定して一体的に設置してある。
　【００１９】
　図８−（ａ），（ｂ）はアタッチメント４の他の形状例を示す。共に図１に示すアタッチメント４の取付部４１を残したまま、傾斜面４２を変形させた場合で、（ａ）は傾斜面４２を曲面状に形成した場合、（ｂ）は傾斜面４２を平板状にし、特に滑り止めのために上面を波形状に形成した場合である。
　【００２０】
　【００２１】
　縦枠５は下枠本体２にアタッチメント４を加えた下枠１全体の見込み幅以上の見込み幅を持ち、下枠１の端部は図２に示すように見込み方向の全幅に亘って縦枠５の見込み片５１に突き当たって連結される。縦枠５の見込み幅が下枠１の見込み幅より大きい場合は図１〜図３に示すようにアタッチメント４より縦枠５の室外側の端部が突出する。
　【００２２】
　
図
左側については、
　【００２３】
　図２中、左側の縦枠５では最も室外側に位置する障子の閉鎖状態での納まりの関係から、アタッチメント４と下枠本体２の端部に長さ方向に段差を付け、縦枠５の見込み片５１にも下枠本体２部分とアタッチメント４部分とで段差を付けているが、右側の縦枠５のように見込み片５１に段差を付けない場合もある。
　【００２４】
　下枠１は図１，図４に示すように下枠本体２の中空部内に固定された連結材８を縦枠５の見込み片５１に突き当て、両者を貫通するねじを螺入させることにより縦枠５に接合される。
　【００２５】
　
また、請求項１に係る発明である図２の右側、及び請求項２に係る発明である図４
にア
突き当てて、下枠１を縦枠５に連結している。
　【００２６】
　小口キャップ９は図６に示すようにアタッチメント４の端部内に差し込まれる差込み部９１と、アタッチメント４から突出する突出部９２を持ち、図７に示すように突出部９２の上面９３が下枠本体２の上面２１に連続し、同一面となる。
　【００２７】
　差込み部９１と突出部９２の境界にはアタッチメント４の端面を塞ぐ塞ぎ板９４が形成され、小口キャップ９は塞ぎ板９４がアタッチメント４の端面に突き当たった状態でアタッチメント４に固定される。図面ではアタッチメント４の室外側の片を貫通し、差込み部９１に螺入するねじにより固定している。
　【００２８】
　
請求項２に係る
　【００２９】
　下枠本体２上に存在する水やゴミは上面２１を通じて長さ方向両端まで移動し、小口キャップ９の上面９３から室外へ排出される。
　【００３０】
　【発明の効果】
　
この発明
　【００３１】
　
また、下
　【００３２】
　
さらに、
【図面の簡単な説明】
　【図１】
　下枠本体及びアタッチメントと縦枠の関係を示した縦断面図である。
　【図２】
　下枠と縦枠の関係を示した横断面図である。
　【図３】
　図２の縦断面図である。
　【図４】
　アタッチメントに小口キャップを付けた下枠を示した平面図である。
　【図５】
　図４のｘ−ｘ線断面図である。
　【図６】
　小口キャップを示した斜視図である。
　【図７】
　アタッチメントに小口キャップが付いた下枠と縦枠の関係を示した斜視図である。
　【図８】
　アタッチメントの他の形状例を示した断面図である。
　【符号の説明】
　１……下枠、２……下枠本体、２１……上面、３……レール、４……アタッチメント、４１……取付部、４２……傾斜面、５……縦枠、５１……見込み片、６……室内の床面、７……室外の床面、８……連結材、９……小口キャップ、９１……差込み部、９２……突出部、９３……上面、９４……塞ぎ板、１０……車輪、１１……落下止め。